(57)【要約】【課題】箱体の外部から受ける振動や衝撃を緩和して被収容物の損傷を防止することができる仕切体、同仕切体を備えたＡ式箱体および同Ａ式箱体を備えた物品収容箱を提供する。【解決手段】物品収容箱１００は、Ａ式箱体１１０、仕切体１２０および親箱１３０によって構成されている。Ａ式箱体１１０は、所謂ミカン箱型の箱体であり、内部には壁部１１１から張り出したフラップ１１２が折り込まれた状態で仕切体１２０が配置されている。仕切体１２０は、Ａ式箱体１１０内において互いに対向し合う２つの壁部１１１間に配置される仕切本体１２１によって構成されている。仕切本体１２１は、Ａ式箱体１１０においてこの受圧部１２１が対向配置される２つの壁部１１１間の長さよりもフラップ１１２の２つ分の厚さだけ短い長さに形成されているとともに、小仕切体１２６を備えている。この仕切体１２０を備えたＡ式箱体１１０は、親箱１３０内に出し入れ自在に収容される。【選択図】  図１
2014104998.tif 000002
【特許請求の範囲】
【請求項１】
１枚の板状体に箱体の各壁部が連続的に繋がって形成されるとともにこれらの各側壁に前記箱体における蓋部を構成することができるフラップがそれぞれ形成されたＡ式箱体内に配置されて同Ａ式箱体内を仕切る仕切体であって、
前記Ａ式箱体における互いに対向する２つの壁部間に配置されて同Ａ式箱体内を仕切る仕切本体を有し、
前記仕切本体は、
前記Ａ式箱体における互いに対向する壁部間の長さよりも前記フラップの少なくとも１つ分の厚さだけ短い長さに形成されていることを特徴とする仕切体。
【請求項２】
請求項１に記載した仕切体において、
前記仕切本体は、
前記Ａ式箱体が直方体の場合には同Ａ式箱体内における長手方向に対応する長さに形成されていることを特徴とする仕切体。
【請求項３】
請求項１または請求項２に記載した仕切体において、
前記仕切本体は、
前記２つの壁部に接触する部分が面状に形成されていることを特徴とする仕切体。
【請求項４】
請求項１ないし請求項３のうちのいずれか１つに記載した仕切体において、さらに、
前記仕切本体に対して交わる方向に延びる小仕切体を備え、
前記仕切本体は、
前記２つの壁部間に延びる中間部に前記小仕切体を挿し込むことができる嵌合スリットを備えていることを特徴とする仕切体。
【請求項５】
請求項４に記載した仕切体において
前記小仕切体は、
前記２つの壁部間に対して交わる方向に形成されて互いに対向する他の２つの壁部間の長さよりも前記フラップの少なくとも１つ分の厚さだけ短い長さに形成されていることを特徴とする仕切体。
【請求項６】
請求項４または請求項５に記載した仕切体において、
前記嵌合スリットは、
１枚の前記小仕切体を挿し込んで保持可能な単葉嵌合スリットと、
２枚以上の前記小仕切体を挿し込んで保持可能な複葉嵌合スリットとを備えることを特徴とする仕切体。
【請求項７】
１枚の板状体に箱体の各壁部が連続的に繋がって形成されるとともに、これらの各側壁に前記箱体における蓋部を構成することができるフラップがそれぞれ形成されたＡ式箱体において、
前記フラップが内側に折り込まれた状態の前記Ａ式箱体の内部に前記請求項１ないし前記請求項６のうちのいずれか１つに記載した仕切体が配置されていることを特徴とするＡ式箱体。
【請求項８】
請求項７に記載したＡ式箱体と、
蓋を有さない開放された開口部を有した箱状に形成されて前記Ａ式箱体を複数収容可能な親箱とを備えたことを特徴とする物品収容箱。
【発明の詳細な説明】
【技術分野】
【０００１】
本発明は、箱体の内部を仕切る仕切体、同仕切体を備えたＡ式箱体および同Ａ式箱体を備えた物品収容箱に関する。
【背景技術】
【０００２】
従来から、各種物品を被収容物として収容する箱体として所謂Ａ式箱体が広く知られている。ここで、Ａ式箱体は、１枚の板状体に箱体の各壁部が連続的に繋がって形成されるとともに、これらの各側壁に箱体における蓋部を構成することができるフラップがそれぞれ形成されたミカン箱タイプの箱体である。このようなＡ式箱体においては、被収容物を安定的に収容するために箱体内の空間を仕切る仕切体が用いられることがある。
【０００３】
例えば、下記特許文献１には、井桁状に組まれた中仕切り体を箱体内にガタツキなく配置するとともに、この中仕切り体上に中仕切り体によって形成されるポケットの型崩れを防止するための緩衝シートが設けられた梱包箱が開示されている。
【先行技術文献】
【特許文献】
【０００４】
【特許文献１】特開２００９−７３５３１号公報
【０００５】
しかしながら、上記特許文献１に記載された梱包箱においては、中仕切り体が箱体の内寸法と略同一に形成されて箱体内にガタツキなく配置されるため、箱体が外部から受ける振動や衝撃が中仕切り体を介して被収容物に伝わって被収容物を破損する虞があるという問題があった。
【発明の概要】
【０００６】
本発明は上記問題に対処するためなされたもので、箱体の外部から受ける振動や衝撃を緩和して被収容物の損傷を防止することができる仕切体、同仕切体を備えたＡ式箱体および同Ａ式箱体を備えた物品収容箱
【０００７】
上記目的を達成するため、本発明の特徴は、１枚の板状体に箱体の各壁部が連続的に繋がって形成されるとともにこれらの各側壁に前記箱体における蓋部を構成することができるフラップがそれぞれ形成されたＡ式箱体内に配置されて同Ａ式箱体内を仕切る仕切体であって、Ａ式箱体における互いに対向する２つの壁部間に配置されて同Ａ式箱体内を仕切る仕切本体を有し、仕切本体は、Ａ式箱体における互いに対向する壁部間の長さよりもフラップの少なくとも１つ分の厚さだけ短い長さに形成されていることにある。
【０００８】
この場合、仕切本体は、Ａ式箱体における互いに対向する壁部間の長さよりもフラップの２つ分の厚さ以上の長さだけ短い長さに形成されているとよい。
【０００９】
このように構成した本発明の特徴によれば、仕切体は、Ａ式箱体における互いに対向する２つの壁部間に配置される仕切本体の長さが壁部間の長さよりもフラップの少なくとも１つ分の厚さだけ短い長さに形成されている。これにより、仕切体は、Ａ式箱体におけるフラップが内側に折り込まれた状態でＡ式箱体に配置されることにより、Ａ式箱体内に折り込まれたフラップによって弾性的に支持される。この結果、仕切体は、Ａ式箱体の外部から受ける振動や衝撃を緩和して被収容物の損傷を防止することができる。
【００１０】
また、本発明の他の特徴は、前記仕切体において、仕切本体は、Ａ式箱体が直方体の場合には同Ａ式箱体内における長手方向に対応する長さに形成されていることにある。
【００１１】
このように構成した本発明の他の特徴によれば、仕切体は、Ａ式箱体が直方体の場合には仕切本体がＡ式箱体内における長手方向に対応する長さに形成されている。これにより、仕切体は、被収容物を保護しつつ直方体状のＡ式箱体における長手方向の強度を補強して剛性を高めることができる。
【００１２】
また、本発明の他の特徴は、前記仕切体において、仕切本体は、前記２つの壁部に接触する部分が面状に形成されていることにある。
【００１３】
このように構成した本発明の他の特徴によれば、仕切体は、仕切本体における前記２つの壁部に接触する部分が面状に形成されているため、Ａ式箱体内において安定的に設置することができる。また、仕切体は、Ａ式箱体に貫通孔状の手掛けが設けられている場合においては、この手掛けをＡ式箱体の内側から塞いでＡ式箱体内を目隠しできるとともに被収容物を保護することができる。
【００１４】
また、本発明の他の特徴は、前記仕切体において、さらに、仕切本体に対して交わる方向に延びる小仕切体を備え、仕切本体は、前記２つの壁部間に延びる中間部に小仕切体を挿し込むことができる嵌合スリットを備えていることにある。
【００１５】
このように構成した本発明の他の特徴によれば、仕切体は、仕切本体における前記２つの壁部間に延びる中間部に小仕切体を挿し込むことができる嵌合スリットを備えて構成されている。これにより、仕切体は、Ａ式箱体内を被収容物の大きさや形状に応じて仕切ることができる。
【００１６】
また、本発明の他の特徴は、前記仕切体において、小仕切体は、前記２つの壁部間に対して交わる方向に形成されて互いに対向する他の２つの壁部間の長さよりもフラップの少なくとも１つ分の厚さだけ短い長さに形成されていることにある。
【００１７】
このように構成した本発明の他の特徴によれば、仕切体は、小仕切体が前記２つの壁部間に対して交わる方向（例えば、直交する方向）に形成されて互いに対向する他の２つの壁部間の長さよりもフラップの少なくとも１つ分の厚さだけ短い長さに形成されている。これにより、仕切体は、Ａ式箱体におけるフラップが内側に折り込まれた状態でＡ式箱体に配置されることにより、他の２つの壁部間においてもＡ式箱体内に折り込まれたフラップによって弾性的に支持される。この結果、仕切体は、Ａ式箱体の外部から受ける振動や衝撃を緩和して被収容物の損傷を防止することができる。
【００１８】
また、本発明の他の特徴は、前記仕切体において、嵌合スリットは、１枚の小仕切体を挿し込んで保持可能な１枚用嵌合スリットと、２枚以上の小仕切体を挿し込んで保持可能な複数枚用嵌合スリットとを備えることにある。
【００１９】
このように構成した本発明の他の特徴によれば、仕切体は、嵌合スリットが１枚の小仕切体を挿し込んで保持可能な単葉嵌合スリットと、２枚以上の小仕切体を挿し込んで保持可能な複葉嵌合スリットとを備えて構成されている。これにより、仕切体は、複葉嵌合スリットに複数枚の小仕切体を保持させることにより、小仕切体の剛性を高めることができるとともに、複数の単葉嵌合スリットの設けた場合においては複数の小仕切体を複葉嵌合スリットにまとめて保持させておくこともできる。
【００２０】
また、本発明は仕切体の発明として実施できるばかりでなく、この仕切体を備えたＡ式箱体およびこのＡ式箱体を備えた物品収容箱の発明としても実施できるものである。
【００２１】
具体的には、Ａ式箱体は、１枚の板状体に箱体の各壁部が連続的に繋がって形成されるとともに、これらの各側壁に箱体における蓋部を構成することができるフラップがそれぞれ形成されたＡ式箱体において、フラップが内側に折り込まれた状態のＡ式箱体の内部に請求項１ないし請求項６のうちのいずれか１つに記載した仕切体が配置されているとよい。
【００２２】
このように構成した本発明の他の特徴によれば、Ａ式箱体は、前記仕切体と同様の作用効果を期待することができる。
【００２３】
また、物品収容箱は、請求項７に記載したＡ式箱体と、蓋を有さない開放された開口部を有した箱状に形成されてＡ式箱体を複数収容可能な親箱とを備えているとよい。
【００２４】
このように構成した本発明の他の特徴によれば、物品収容箱は、前記仕切体および前記Ａ式箱体と同様の作用効果を期待することができる。また、物品収容箱は、１つの親箱によって複数のＡ式箱体を持ち運びできるとともに、Ａ式箱体における開口部を覆うまたは開放する親箱を用意することによって物品収容箱をタンス、戸棚、収容ケースまたはロッカーとして利用することができる。
【図面の簡単な説明】
【００２５】
【図１】本発明に係る物品収容箱の全体構成の概略を示す斜視図である。
【図２】図１に示す物品収容箱におけるＡ式箱体の全体構成の概略を示す斜視図である。
【図３】図１に示す物品収容箱における仕切体の部品構成を示す分解斜視図である。
【図４】図１に示す物品収容箱における仕切体を示す斜視図である。
【図５】図１に示す物品収容箱における仕切体において小仕切体の嵌合位置を変更した状態を示す斜視図である。
【図６】図１に示す物品収容箱における仕切体を構成する仕切本体の展開図である。
【図７】図２に示すＡ式箱体内に図５に示す仕切体を挿入する過程を示す斜視図である。
【図８】図２に示すＡ式箱体内に図５に示す仕切体を挿入した状態を示す斜視図である。
【図９】本発明の変形例に係る物品収容箱の全体構成の概略を示す斜視図である。
【発明を実施するための形態】
【００２６】
（物品収容箱１００の構成）
以下、本発明に係る仕切体、Ａ式箱体および物品収容箱の各一実施形態について図面を参照しながらそれぞれ説明する。図１は、本発明に係る物品収容箱１００の全体構成の概略を示す斜視図である。なお、本明細書において参照する各図は、本発明の理解を容易にするために一部の構成要素を誇張して表わすなど模式的に表している。このため、各図面間および各構成要素間の寸法や比率などは異なっていることがある。この物品収容箱１００は、種々の物品からなる被収容物の運搬や保管に用いられる箱体である。
【００２７】
物品収容箱１００は、主として、Ａ式箱体１１０、仕切体１２０および親箱１３０によって構成されている。Ａ式箱体１１０は、ＪＩＳ規格（日本工業規格）において「溝切り型」として分類される形式の箱体である。より具体的には、Ａ式箱体１１０は、図２に示すように、１枚の板状体に箱体を構成する４つの各壁部１１１が連続的に繋がって形成されるとともに、これらの各壁部１１１にそれぞれ張り出して形成された小片方形状のフラップ１１２によって箱体における底部１１３および蓋部１１４が形成された所謂ミカン箱タイプの箱体である。本実施形態においては、Ａ式箱体１１０は、板状の段ボール材を直方体状に形成して構成されている。また、Ａ式箱体１１０における４つの壁部１１１のうち短辺側の２つの側壁１１１には、長孔状の貫通孔からなる手掛け１１５がそれぞれ形成されている。このＡ式箱体１１０の内部には、仕切体１２０が設けられている。
【００２８】
仕切体１２０は、Ａ式箱体１１０の内部空間を仕切るための部材であり、段ボール製の板状体によって構成されている。具体的には、仕切体１２０は、図３に示すように、Ａ式箱体１１０内において互いに対向し合う２つの壁部１１１間に配置される仕切本体１２１によって構成されている。この仕切本体１２１は、起立した板状の中間部１２２の両端部に受圧部１２６がそれぞれ形成されて構成されている。
【００２９】
中間部１２２は、Ａ式箱体１１０の内部空間を仕切るとともに２つの受圧部１２６および後述する仕切小体１２５を支持する部材であり、板状の段ボール材によって構成されている。本実施形態においては、中間部１２２は、２つの板状の段ボール材を互いに重ね合わせて構成されている。この中間部１２２は、２つの受圧部１２６間の距離、すなわち、仕切本体１２１の長さが、Ａ式箱体１１０においてこの受圧部１２１が対向配置される２つの壁部１１１間の長さよりもフラップ１１２の２つ分の厚さだけ短い長さに形成されている。
【００３０】
また、中間部１２２には、中央部に複葉嵌合スリット１２３が形成されるとともにこの複葉嵌合スリット１２３に対して各受圧部１２６側にそれぞれ単用嵌合スリット１２４が形成されている。複葉嵌合スリット１２３は、図４に示すように、小仕切体１２５を保持するための溝であり、中間部１２２における図示上端部から図示下方に向かって延びて形成されている。この複葉嵌合スリット１２３の溝幅は、２つの小仕切体１２５を挿し込んで保持できる厚さに形成されている。
【００３１】
２つの単葉嵌合スリット１２４は、図５に示すように、それぞれ小仕切体１２５を保持するための溝であり、中間部１２２における図示上端部から図示下方に向かって延びて形成されている。これらの単葉嵌合スリット１２４の溝幅は、１つの小仕切体１２５を挿し込んで保持できる厚さに形成されている。そして、これらの複葉嵌合スリット１２３および単葉嵌合スリット１２４は、Ａ式箱体１１０内に収容される図示しない被収容物の大きさや形状に応じた間隔を介して形成される。
【００３２】
小仕切体１２５は、中間部１２２に対して直交する方向にＡ式箱体１１０の内部空間を仕切る支持する部材であり、板状の段ボール材によって構成されている。この小仕切体１２５には、中央部における図示下端部から図示上方に向かって単葉嵌合スリット１２４と同様の溝からなる挿込みスリット１２５ａが形成されている。この小仕切体１２５は、本実施形態においては、単葉嵌合スリット１２４の数に対応して２つ設けられる。なお、図１（Ａ），（Ｂ）は、２つの小仕切体１２５を２つの単葉嵌合スリット１２４にそれぞれ挿し込んだ状態を示している。
【００３３】
２つの受圧部１２６は、Ａ式箱体１１０における互いに対向する２つの壁部１１１にそれぞれ対向配置される部分であり、中間部１２２と同じ段ボール材によって平面板状に形成されている。これらの各受圧部１２６は、Ａ式箱体１１０内においてそれぞれ対向配置される壁部１１１の大きさより一回り小さい方形状に形成されている。この場合、各受圧部１２６における幅方向の長さは、Ａ式箱体１１０においてこれらの受圧部１２６が対向配置される２つの壁部１１１に対してそれぞれ直交する２つの壁部１１１間の長さよりもフラップ１１２の２つ分の厚さだけ短い長さに形成されている。
【００３４】
そして、この仕切本体１２１は、本実施形態においては、図６に示すように、１枚の板状の段ボール材からなるシート体９０を折り曲げることにより構成されている。より具体的には、仕切本体１２１は、平面視で長方形状の１枚のシート体９０における２つの長辺上にそれぞれ複葉嵌合スリット１２３および単葉嵌合スリット１２４が形成されるとともに、同各長辺に直交する２つの短辺中央部に切込み９１がそれぞれ形成されている。また、シート体９０には、２つの切込み９１間を繋ぐように中央折り線９２が形成されるとともに、２つの短辺に平行であって２つの切込み９１の各内側端部を通る両側折り線９３がそれぞれ形成されて構成されている。なお、図においては、中央折り線９２および両側折り線９３をそれぞれ二点鎖線で示している。
【００３５】
親箱１３０は、複数のＡ式箱体１１０を収容することができる箱体であり、Ａ式箱体１１０と同様の段ボール材によって構成されている。具体的には、親箱１３０は、２つのＡ式箱体１１０における互いに長辺同士を隣接させて水平方向に並べた状態で収容できる大きさに形成されている。すなわち、本実施形態においては、親箱１３０は、長辺がＡ式箱体１１０の幅方向の長さ（短辺）の２倍の長さに対応しており、幅（図１において高さ）がＡ式箱体１１０の深さに対応しており、深さ（奥行）がＡ式箱体１１０の長辺の長さに対応している。また、この親箱１３０は、開口部１３１を覆う蓋部が存在せず常に開口した所謂半Ａ式の箱体である。なお、親箱１３０は、開口部１３１を覆う蓋部が存在して開口部１３１が開閉自在なＡ式の箱体で構成されていてもよい。
【００３６】
（物品収容箱１００の作動）
次に、上記のように構成した物品収容箱１００の作動について説明する。まず、この物品収容箱１００を使用するユーザは、仕切体１２０を組み立てる。具体的には、ユーザは、仕切体１２０を構成する１枚のシート体９０と２枚の小仕切体１２５とをそれぞれ用意する。次いで、ユーザは、シート体９０を中央折り線９２に沿って半分に折り曲げた後（図５における矢印参照）、互いに重なり合っているシート体９０の両側を両側折り線９３に沿って折り曲げることにより開いて受圧部１２６をそれぞれ形成する。これにより、ユーザは、仕切本体１２１を成形することができる。そして、ユーザは、図３ないし図５に示すように、成形した仕切本体１２１における複葉嵌合スリット１２３または単葉嵌合スリット１２４に小仕切体１２５を挿し込んで仕切体１２０を完成させる（図３における矢印参照）。
【００３７】
次に、ユーザは、仕切体１２０をＡ式箱体１１０の内部にセットする。具体的には、ユーザは、Ａ式箱体１２０を用意した後、図７に示すように、Ａ式箱体１１０における蓋部１１４を構成するための４つのフラップ１１２の全てをＡ式箱体１１０の内側に折り込んだ状態のＡ式箱体１１０の内部に仕切体１２０を挿入する（図示矢印参照）。
【００３８】
この場合、仕切体１２０の長手方向の長さおよび幅方向の長さは、Ａ式箱体１１０における長手方向および幅方向の各内寸に対してフラップ１１２の２つ分の厚さだけ短く形成されている。また、Ａ式箱体１２０の内部に折り込まれた各フラップ１１２は、折り曲げ部の復元力によって壁部１１１に密着することなく僅かに開いた状態となっている。これらによって、ユーザは、仕切体１２０をＡ式箱体１１０内におけるフラップ１１２の復元力に抗しながらＡ式箱体１１０内に挿入する。
【００３９】
これにより、ユーザは、Ａ式箱体１１０内に仕切体１２０をセットすることができる。この場合、ユーザは、２枚の小仕切体１２５を複葉嵌合スリット１２３に嵌合させた場合においてはＡ式箱体１１０内を４つの空間に仕切ることができるとともに、２枚の小仕切体１２５をそれぞれ単葉嵌合スリット１２４に嵌合させた場合においてはＡ式箱体１１０内を６つの空間に仕切ることができる（図８参照）。
【００４０】
次に、ユーザは、仕切体１２０がセットされたＡ式箱体１１０内に運搬や保管の対象となる被収容物（図示せず）を収納した後、Ａ式箱体１１０を親箱１３０内に収容する。この場合、ユーザは、１つの親箱１３０に対して２つのＡ式箱体１１０を収容することができる。したがって、ユーザは、２つのＡ式箱体１１０に対して１つの親箱１３０を用意して各Ａ式箱体１１０を親箱１３０内に収容する。これにより、２つのＡ式箱体１１０は、開口部が親箱１３０に覆われた状態で親箱１３０内に収容される。なお、図１においては、説明の便宜上、親箱１３０に対して２つのＡ式箱体１１０がそれぞれ完全に収容されていない状態を示している。
【００４１】
次に、ユーザは、物品収容箱１００を運搬する。この場合、ユーザは、１つの親箱１３０が２つのＡ式箱体１１０を収容しているため、効率的にＡ式箱体１１０を運ぶことができる。また、Ａ式箱体１１０は、Ａ式箱体１１０内に折り曲げられたフラップ１１２およびこのフラップ１１２から押圧された仕切体１２０によってＡ式箱体１１０内の被収容物を弾性的に保持している。このため、Ａ式箱体１１０は、親箱１３０やＡ式箱体１１０の外部から受ける振動や衝撃を緩和することができ、被収容物の損傷を防止して運搬することができる。
【００４２】
次に、物品収容箱１００を目的場所に運搬した場合には、ユーザは、物品収容箱１００内から被収容物を取り出す。具体的には、ユーザは、親箱１３０内からＡ式箱体１３０を引き出した後、このＡ式箱体１１０内から被収容物を取り出す。そして、ユーザは、被収容物を取り出した後のＡ式箱体１１０、仕切体１２０および親箱１３０を再度、物品収容箱１００の全部または一部として利用することができるとともに廃棄することもできる。
【００４３】
一方、ユーザは、運搬した物品収容箱１００を保管箱として利用することができる。具体的には、ユーザは、運搬した物品収容箱１００をそのままの状態、すなわち、１つの親箱１３０に２つのＡ式箱体１１０が収容された状態でタンス、戸棚または収納ケースとして利用することができる。このような保管箱としての利用時においても、物品収容箱１００は、Ａ式箱体１１０内に折り曲げられたフラップ１１２およびこのフラップ１１２から押圧された仕切体１２０の弾性力によって被収容物の損傷を防止して保管することができる。
【００４４】
また、ユーザは、親箱１３０から引き出したＡ式箱体１１０をＡ式箱体１１０単体で保管箱として利用することもできる。また、さらに、ユーザは、親箱１３０から引き出したＡ式箱体１１０を大きさや形状の異なる親箱１３０に移し替えて保管することもできる。例えば、図９に示すように、２つのＡ式箱体１１０における互いに長辺同士を隣接させて積み重ねた状態で収容できる大きさの親箱１４０を用意する。すなわち、親箱１４０は、
長辺（図９において高さ）がＡ式箱体１１０の幅方向の長さ（短辺）の２倍の長さに対応しており、幅がＡ式箱体１１０の長辺に対応しており、深さがＡ式箱体１１０の深さに対応している。
【００４５】
そして、ユーザは、２つのＡ式箱体１１０を開口部が露出した状態で親箱１４０に収容する。これにより、ユーザは、親箱１４０からなる物品収容箱１００を被収容物の収容スペース（内部空間）が常に開放されたロッカーとして用いることができる。なお、図９においては、説明の便宜上、親箱１４０に対して２つのＡ式箱体１１０がそれぞれ完全に収容されていない状態を示している。
【００４６】
上記作動説明からも理解できるように、上記実施形態によれば、物品収容箱１００は、仕切体１２０における仕切本体１２１の長さがＡ式箱体１１０における仕切体１２０が配置される壁部１１１間の長さよりもフラップ１１２の２つ分の厚さだけ短い長さに形成されている。これにより、物品収容箱１００は、仕切体１２０がＡ式箱体１１０におけるフラップ１１２が内側に折り込まれた状態でＡ式箱体１１０に配置されることによりこのフラップ１１２によって弾性的に支持される。この結果、物品収容箱１００は、Ａ式箱体１１０の外部から受ける振動や衝撃を緩和して被収容物の損傷を防止することができる。
【００４７】
さらに、本発明の実施にあたっては、上記実施形態に限定されるものではなく、本発明の目的を逸脱しない限りにおいて種々の変更が可能である。
【００４８】
例えば、上記実施形態においては、Ａ式箱体１１０は、４つの側壁１１１にそれぞれ底部１１３および蓋部１１４を形成するためのフラップ１１２が４つずつ繋がって形成されて構成されている。しかし、Ａ式箱体１１０は、側壁１１１にそれぞれ底部１１３および蓋部１１４を形成するためのフラップ１１２が繋がって形成されていれば、必ずしも上記実施形態に限定されるものではない。すなわち、Ａ式箱体１１０は、上記実施形態における基本的なＡ式の他に、１枚のフラップ１１２で開口部の全体を覆うことができるオーバーフラップ式、複数のフラップ１１２を引っ掛けあって底部１１３を形成する底ワンタッチ式や底地獄式を構成することもできる。また、Ａ式箱体１１０における蓋側のフラップ１１２は、少なくとも１つ設けられていればよい。したがって、Ａ式箱体１１０は、蓋側のフラップ１１２を１つで構成してもよいし、４つなどの複数で構成したうちの１つのみをＡ式箱体１１０内部に折り込んで仕切体１２０を支持するように構成してもよい。
【００４９】
また、上記実施形態においては、Ａ式箱体１１０は、直方体状に構成した。しかし、Ａ式箱体１１０は、直方体に限られず、例えば、立方体のほか各種多面体や円柱体で構成することもできる。この場合、Ａ式箱体１１０を立方体状に形成することにより、１つの親箱１３０に対してＡ式箱体１１０を収容する向きのバリエーションが増加するため、効率的に物品収容箱１００を構成することができる。
【００５０】
また、上記実施形態においては、仕切体１２０は、直方体状のＡ式箱体１１０における長手方向に沿って中間部１２２を配置した。しかし、仕切体１２０は、直方体状のＡ式箱体１１０における長手方向に直交する幅方向に沿って中間部１２２を配置するように構成することもできる。
【００５１】
また、上記実施形態においては、仕切体１２０は、２つの受圧部１２６間の長さ、各受圧部１２６の幅方向の長さおよび小仕切体１２５の幅方向の長さをそれぞれＡ式箱体１１０における互いに対向する壁部１１１間の長さに対してフラップ１１２の２つ分の厚さだけ短い長さに形成した。しかし、２つの受圧部１２６間の長さ、各受圧部１２６の幅方向の長さおよび小仕切体１２５の幅方向の長さは、それぞれが配置されるＡ式箱体１１０における互いに対向する壁部１１１間の長さに対してフラップ１１２の少なくとも１つ分の厚さだけ短い長さに形成すればよい。
【００５２】
また、上記実施形態においては、仕切体１２０は、Ａ式箱体１１０における長手方向におよび幅方向においてそれぞれ仕切体１２０をフラップ１１２で支持するように構成した。しかし、仕切体１２０は、Ａ式箱体１１０内に折り込んだ少なくとも１つのフラップ１１２で支持されるように構成すればよい。
【００５３】
また、上記実施形態においては、仕切体１２０は、２つの小仕切体１２５を備えて構成した。しかし、仕切体１２０における小仕切体１２５は、Ａ式箱体１１０内の空間を仕切る必要性に応じて設けられるものであり、その数や形成位置は必要性に応じて適宜設定されるものである。すなわち、仕切体１２０において、小仕切体１２５、複葉嵌合スリット１２３、単葉嵌合スリット１２４の形成数や形成位置は、自由に設定されるものである。したがって、仕切体１２０は、小仕切体１２５、複葉嵌合スリット１２３、単葉嵌合スリット１２４を省略して構成することもできる。また、複葉嵌合スリット１２３および単葉嵌合スリット１２４についても、複葉嵌合スリット１２３または単葉嵌合スリット１２４のどちらか一方のみを仕切本体１２１に形成するようにしてもよい。すなわち、複葉嵌合スリット１２３および単葉嵌合スリット１２４が、本発明に係る嵌合スリットに相当する。なお、複葉嵌合スリット１２３は、３つ以上の小仕切体１２５を保持するように形成することもできる。
【００５４】
また、上記実施形態においては、仕切体１２０における仕切本体１２１の両端部の受圧部１２６を平面状に形成した。これにより、仕切体１２０は、受圧部１２６に対向するＡ式箱体１１０の壁部１１１が外部から受ける振動や衝撃を面で受けることができるため、被収容物をより安定的に支持することができる。また、仕切体１２０は、Ａ式箱体１２０設けられた貫通孔状の手掛け１１５を受圧部１２６が塞いでＡ式箱体１２０内を目隠しできるとともに被収容物を保護することができる。また、さらに、仕切体１２０は、受圧部１２６が対向する壁部１１１を補強することができるため、Ａ式箱体１１０の姿勢を変化させた場合においてもＡ式箱体１１０の形状を維持させて被収容物を安定的に支持することができる。しかし、仕切体１２０は、必ずしも受圧部１２６を面状に形成する必要はなく、中間部１２２の端部をそのまま受圧部１２６、すなわち、受圧部１２６を線状に形成することもできる。
【００５５】
また、上記実施形態においては、親箱１２０，１３０は、２つのＡ式箱体１１０を収容するように構成した。しかし、親箱１２０，１３０は、１つまたは３つ以上のＡ式箱体１１０を収容するように構成してもよい。また、Ａ式箱体１１０を親箱１３０，１４０に収容することなくＡ式箱体１１０単独で使用することもできる。
【００５６】
また、上記実施形態においては、Ａ式箱体１１０、仕切体１２０および親箱１３０，１４０は、段ボール材で構成した。しかし、Ａ式箱体１１０、仕切体１２０および親箱１３０，１４０は、段ボール以外の紙材（例えば、ボール紙）や紙材以外の材料（例えば、樹脂材）などを用いて構成することもできる。
【００５７】
９０…シート体、９１…切り込み、９２…中央折り線、９３…両側折り線、
１００…物品収容箱、
１１０…Ａ式箱体、１１１…壁部、１１２…底部、１１３…底部、１１４…蓋部、１１５…手掛け、
１２０…仕切体、１２１…仕切本体、１２２…中間部、１２３…複葉嵌合スリット、１２４…単葉嵌合スリット、１２５…小仕切体、１２５ａ…挿込みスリット、１２６…受圧部、
１３０，１４０…親箱、１３１，１４１…開口部。
【図１】
2014104998.tif 000003
【図２】
2014104998.tif 000004
【図３】
2014104998.tif 000005
【図４】
2014104998.tif 000006
【図５】
2014104998.tif 000007
【図６】
2014104998.tif 000008
【図７】
2014104998.tif 000009
【図８】
2014104998.tif 000010
【図９】
2014104998.tif 000011